(57)【要約】  【課題】  ハンドドリルの重量を大幅に増加させず、その携行性や操作性を損ねることなく装着可能であり、しかも穿孔作業中のドリルビットに、冷却液を自在に供給することができ、ドリルビットの延命化を図り、より経済的に利用可能とする新たなドリルビット用冷却技術を提供する。  【解決手段】  基端にシャンク２１、先端にビット装着部２２を形成した延長軸２を有し、その周囲に該ビット装着部２２に装着したときのドリルビット７に向けて冷却液８を噴射可能な姿勢とした冷却ノズル３４と、ポンプ機構３０とを有する液体ポンプ３、および、所定量の冷却液８を貯留可能で、該液体ポンプ３に冷却液８を供給自在に接続可能とした給液タンク４を、双方同士を一体化可能な連結機構５を設けて、当該延長軸２軸心方向に沿って縦列、同心串刺し状に装着するよう、組み合わせてなるハンドドリル用ドリルビット冷却器１である。【選択図】    図８
2010155321.tif 000002
【特許請求の範囲】
【請求項１】
所定長さに設定した直線状棒体の基端にハンドドリル装着用となるシャンクを形成し、該シャンクとは反対がわとなる先端にビット装着部を形成したエクステンションバー型延長軸を有し、該ビット装着部直後からシャンクとの間となる延長軸周囲には、該ビット装着部に装着したときのドリルビットに向けて冷却液を噴射可能な姿勢とした冷却ノズルと、所定の操作を受けて該冷却ノズルに向け冷却液を圧送可能なポンプ機構とを有する液体ポンプ、および、所定量の冷却液を貯留可能であって、該液体ポンプに適量の冷却液を供給自在に接続可能とした給液タンクを、当該延長軸に対し、軸心方向に沿って縦列、同心串刺し状に装着すると共に、該液体ポンプと給液タンクとの間に、双方同士を一体化可能とする連結機構を設け、回転駆動中の延長軸回りに生ずる遠心力が均衡するよう、組み合わせてなるものとしたことを特徴とするハンドドリル用ドリルビット冷却器。
【請求項２】
所定長さに設定した直線状棒体の基端にハンドドリル装着用となるシャンクを形成し、該シャンクとは反対がわとなる先端にビット装着部を形成したエクステンションバー型六角延長軸を有し、該ビット装着部直後の六角延長軸周囲には、トーラス状の容器製であって、後端がわに冷却液用の吸液管、先端がわに該ビット装着部に装着したときのドリルビットに向けて冷却液を噴射可能な冷却ノズルを有し、所定の操作を受けて該冷却ノズルに向け冷却液を圧送可能なポンプ機構を備えた液体ポンプを配すると共に、該液体ポンプの直後から当該シャンクとの間となる六角延長軸中間位置には、同六角延長軸周囲に同心状装着可能であって、所定量の冷却液を貯留可能であり、該液体ポンプの吸液管に逆止弁を介して適量の冷却液を供給自在に接続可能とした給液タンクを配して、当該延長軸に対し、軸心方向に沿って縦列、同心串刺し状に装着た上、該液体ポンプと給液タンクとの間に、双方同士を一体化可能とする連結機構を設け、回転駆動中の延長軸回りに生ずる遠心力が均衡するよう、組み合わせてなるものとしたことを特徴とするハンドドリル用ドリルビット冷却器。
【請求項３】
所定長さに設定した直線状棒体の基端にハンドドリル装着用となるシャンクを形成し、該シャンクとは反対がわとなる先端にビット装着部を形成したエクステンションバー型六角延長軸を有し、該ビット装着部直後の六角延長軸周囲には、その内部に冷却液を貯留可能であって、先端がわに、該ビット装着部に装着したときのドリルビットに向けて冷却液を噴射可能な冷却ノズルを設け、後端がわに冷却液用の吸液管を有し、外径がわから該六角延長軸に向けた押圧力にて圧縮変形可能、且つ、もとの形状に自動復帰可能としたＯ字型浮き輪状構造の弾性容器それ自体がポンプ機構をなすものとした手動型液体ポンプを配すると共に、該液体ポンプの直後から当該シャンクとの間となる六角延長軸中間位置には、所定量の冷却液を貯留可能であり、該液体ポンプの吸液管に逆止弁を介して適量の冷却液を供給自在に接続可能とした給液タンクを配し、該六角延長軸に対し、軸心方向に沿って縦列、同心串刺し状に装着た上、該液体ポンプと給液タンクとの間に、双方同士を一体化可能とする連結機構を設け、回転駆動中の延長軸回りに生ずる遠心力が均衡するよう、組み合わせてなるものとしたことを特徴とするハンドドリル用ドリルビット冷却器。
【請求項４】
液体ポンプは、その先端壁および中心筒壁と六角延長軸との間に、該六角延長軸に同心状、回転不能且つ、同ビット装着部基端に当接するよう装着可能な形状の装着筒と、同装着筒先端に一体化し、該液体ポンプの外径に相当する直径であって、同液体ポンプの先端壁をサポート可能な平板形状としたフランジとからなる硬質素材製ホルダーを介在し、該ホルダーのフランジとは反対がわとなる装着筒基端外周壁に雄ネジを刻設する一方、給液タンク先端に一体か、または別体かの何れか一方としたナットを設け、ボルト・ナット構造からなる連結機構を形成し、該液体ポンプ基端に、給液タンクの先端を着脱自在に組み込んでなるものとした、請求項１ないし３何れか一項記載のハンドドリル用ドリルビット冷却器。
【発明の詳細な説明】
【技術分野】
【０００１】
この発明は、ハンドドリルの使用中にドリルビットが異常過熱するのを防止可能とする技術に関するものであり、ハンドドリルに装着可能なドリルビット冷却器を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                            
【背景技術】
【０００２】
（着目点）
ハンドドリルを用いて金属板や高強度のコンクリート壁、タイルなどに連続的に穴開けするような場合には、ドリルビットが十分に冷えてから次ぎの穴開け作業を開始するよう注意しないと、摩擦熱によってドリルビットが異常過熱し、急速に摩耗して使用不能となって効率的な穴開け作業の妨げとなってしまうという欠点があり、こうした欠点を解決するために、耐熱性に秀れた高速度工具鋼製や超硬合金製のものやチタンコーティングなどの耐熱コーティングを施したものなど、焼き付き、かじり、熔損、ヒートチェック・クラックの発生を低減可能とする様々なドリルビットが普及している。
【０００３】
しかしながら、こうした高性能なドリルビットを使用した場合であっても、長時間に渡って連続使用している中に過熱状態に陥ってしまい、本来の寿命より早期に摩耗、損傷してしまうことがあり、こうした事態が頻発するとドリルビットの交換に多くの手間がかかり、本来の穴開け作業の効率を大幅に低下させてしまうばかりでなく、摩耗したドリルビットの研磨およびメンテナンス作業や、新たなドリルビットの購入に要する費用などが嵩み、経済的な不都合が多くなるという欠点があった。
【０００４】
（従来の技術）
こうした状況を憂慮し、例えば、下記の特許文献１（１）に提案されているものに代表されるように、ドリルビットのシャンク部分より刃先端にかけて冷却水供給用の供給管路を形成し、マシニングセンターなどの工作機械本体がわに設けられた給水機構からの給水を受けて、被削材料とドリルビットの切り刃との間の摩擦抵抗を低減および冷却可能としたものや、同特許文献１（２）に見られるような、被削材料の穴開け箇所周辺とドリルビットを装着したボール盤チャック取り付け部分周辺とを包囲可能な密閉カバーを設け、該密閉カバーのドリルビット付近に対応する一側壁に吸引管を接続し、これとは反対がわとなる他側壁に、外部ミスト発生機構からの冷却水を供給可能とする噴出孔を穿設してなり、切削中のドリルビットおよびその周囲にミストを供給、ならびに吸引排出可能としてなるものなどが散見される。
【０００５】
しかし、前者特許文献１（１）に示されている考案のようなドリルビットの内部に冷却水用の供給管路を形成したものは、ドリルビット自体の構造が複雑化して勢い高価なものとなってしまい、しかも一般形状のドリルビットより強度に劣るため、マシニングセンターなどの高精度の切削加工に適するものの、本体を手で保持するために穿孔作業中に本体が動き易いハンドドリルには不向きで、破損し易いという欠点を生じる上、ハンドドリルの内部に吸水機構を組み込む必要があり、ハンドドリル自体も複雑、高価になって経済的に不利なものとなってしまうという欠点を有することとなり、また特許文献１（２）の密閉カバーをボール盤のチャック付近に装着した考案の類いものでは、ボール盤とは別体としたミスト発生機構と吸引機構とを必要とすることとなり、据え置き型の工作機械には適するものの、携帯性が重視されるハンドドリルに組み込むのは非常に難しく、仮に組み込むことができたとしても大型化や重量の増大が避け難く、穴開け作業性を大幅に悪化させてしまう虞があった。                                                                        
【特許文献１】（１）実用新案登録第３１３４０１１号公報    （２）実開平６−１７８４７号公報
【発明の開示】
【発明が解決しようとする課題】
【０００６】
（問題意識）
上述したとおり、従前までに提案のある冷却液供給用の管路を内蔵したドリルビットや、冷却液の供給や吸引機構を組み込んだボール盤などは、何れも携帯性が重視され、日常的に手荒い扱いを受けるハンドドリルと組み合わせたものとすることは非常に困難を伴い、重量の増大、大型化、構造の複雑化、耐久性の低下、および高価格化などが避けられず、そのままでは実用化不可能なものであり、ハンドドリルの携行性や耐久性を損ねること無く、穿孔作業中のドリルビットに冷却液を効率的に供給可能とする技術については未だ存在しないという状況にある。
【０００７】
（発明の目的）
そこで、この発明は、ハンドドリルの重量を大幅に増加させず、その携行性や操作性を損ねることなく装着可能であり、しかも穿孔作業中のドリルビットに冷却液を自在に供給することができてドリルビットの延命化を図り、より経済的に利用可能とする新たなドリルビット用冷却技術の開発はできないものかとの判断から、逸速くその開発、研究に着手し、長期に渡る試行錯誤と幾多の試作、実験とを繰り返してきた結果、今回、遂に新規な構造のハンドドリル用ドリルビット冷却器を実現化することに成功したものであり、以下では、図面に示すこの発明を代表する実施例と共に、その構成を詳述することとする。                                                                                                                  
【課題を解決するための手段】
【０００８】
（発明の構成）
図面に示すこの発明を代表する実施例からも明確に理解されるように、この発明のハンドドリル用ドリルビット冷却器は、基本的に次のような構成から成り立っている。
即ち、所定長さに設定した直線状棒体の基端にハンドドリル装着用となるシャンクを形成し、該シャンクとは反対がわとなる先端にビット装着部を形成したエクステンションバー型延長軸を有し、該ビット装着部直後からシャンクとの間となる延長軸周囲には、該ビット装着部に装着したときのドリルビットに向けて冷却液を噴射可能な姿勢とした冷却ノズルと、所定の操作を受けて該冷却ノズルに向けて冷却液を圧送可能なポンプ機構とを有する液体ポンプ、および、所定量の冷却液を貯留可能であって、該液体ポンプに適量の冷却液を供給自在に接続可能とした給液タンクを、当該延長軸に対し、軸心方向に沿って縦列、同心串刺し状に装着すると共に、該液体ポンプと給液タンクとの間に、双方同士を一体化可能とする連結機構を設け、回転駆動中の延長軸回りに生ずる遠心力が均衡するよう、組み合わせてなるものとした構成を要旨とするハンドドリル用ドリルビット冷却器である。
【０００９】
この基本的な構成からなるハンドドリル用ドリルビット冷却器を、より具体的なものとして示すと、所定長さに設定した直線状棒体の基端にハンドドリル装着用となるシャンクを形成し、該シャンクとは反対がわとなる先端にビット装着部を形成したエクステンションバー型六角延長軸を有し、該ビット装着部直後の六角延長軸周囲には、トーラス状の容器製であって、後端がわに冷却液用の吸液管、先端がわに該ビット装着部に装着したときのドリルビットに向けて冷却液を噴射可能な冷却ノズルを有し、所定の操作を受けて該冷却ノズルに向けて冷却液を圧送可能なポンプ機構を備えた液体ポンプを配すると共に、該液体ポンプの直後から当該シャンクとの間となる六角延長軸中間位置には、同六角延長軸周囲に同心状装着可能であって、所定量の冷却液を貯留可能であり、該液体ポンプの吸液管に逆止弁を介して適量の冷却液を供給自在に接続可能とした給液タンクを配して、当該延長軸に対し、軸心方向に沿って縦列、同心串刺し状に装着た上、該液体ポンプと給液タンクとの間に、双方同士を一体化可能とする連結機構を設け、回転駆動中の延長軸回りに生ずる遠心力が均衡するよう、組み合わせてなるものとした構成からなるハンドドリル用ドリルビット冷却器となる。
【００１０】
更に具体的には、所定長さに設定した直線状棒体の基端にハンドドリル装着用となるシャンクを形成し、該シャンクとは反対がわとなる先端にビット装着部を形成したエクステンションバー型六角延長軸を有し、該ビット装着部直後の六角延長軸周囲には、その内部に冷却液を貯留可能であって、先端がわに、該ビット装着部に装着したときのドリルビットに向けて冷却液を噴射可能な冷却ノズルを設け、後端がわに冷却液用の吸液管を有し、外径がわから該六角延長軸に向けた押圧力にて圧縮変形可能、且つ、もとの形状に自動復帰可能としたＯ字型浮き輪状構造の弾性容器それ自体がポンプ機構をなすものとした手動型液体ポンプを配すると共に、該液体ポンプの直後から当該シャンクとの間となる六角延長軸中間位置には、所定量の冷却液を貯留可能であり、該液体ポンプの吸液管に逆止弁を介して適量の冷却液を供給自在に接続可能とした給液タンクを配し、該六角延長軸に対し、軸心方向に沿って縦列、同心串刺し状に装着た上、該液体ポンプと給液タンクとの間に、双方同士を一体化可能とする連結機構を設け、回転駆動中の延長軸回りに生ずる遠心力が均衡するよう、組み合わせてなるものとした構成からなるハンドドリル用ドリルビット冷却器となる。                                                                                                              
【発明の効果】
【００１１】
以上のとおり、この発明のハンドドリル用ドリルビット冷却器によれば、従前までのものとは違い、上記したとおりの固有の特徴ある構成から、ハンドドリルの重量を大幅に増加させることなく、且つハンドドリル本体およびドリルビットの構造を一切変えずに、その携行性や操作性を損ねることなく装着でき、穿孔作業途中のドリルビットに冷却液を簡便、迅速に供給可能とし、ドリルビットの異常過熱を確実に防止して耐久寿命を各段に高め、ボーリング作業の効率を大幅に改善して各段に経済的な利用を実現化できるものとなるという秀れた特徴が得られるものである。
【００１２】
加えて、エクステンションバー型六角延長軸周囲のビット装着部直後に、トーラス状容器製の液体ポンプを設け、該液体ポンプの直後に給液タンクを配し、該液体ポンプと給液タンクとの間に、双方同士を一体化可能とする連結機構を設け、回転駆動中の延長軸回りに生ずる遠心力が均衡するよう組み合わせてなるものとしたものは、ハンドドリルにエクステンションバーを装着する要領で簡便に脱着操作でき、しかもその先端ビット装着部にドリルビットを簡単、確実に装着可能であり、回転駆動中の延長軸の軸心が安定して不要な振動の発生を抑制可能で使用者への負担を軽減し、より軽快なボーリング作業を実現化できるという利点がある。
【００１３】
また、液体ポンプを外径がわから六角延長軸に向けた押圧力にて圧縮変形可能、且つ、元の形状に自動復帰可能としたＯ字型浮き輪状構造の弾性容器からなるものは、電動モーターやその他のアクチュエーターなどを一切必要とせず、手指による圧縮によって冷却液をドリルビットに向けて射出可能となり、構造の簡素化と軽量化とを達成し得ると共に、故障を一段と少なくしてメンテナンス性に秀れたものとしており、より低廉にて提供可能なものとなって経済的な利用が可能になる特徴を発揮する。
【００１４】
そして、液体ポンプの後端がわに冷却液用の吸液管を設け、該吸液管との間に逆止弁を介在させて給液タンクを接続してなるものでは、冷却液の不要な逆流をより確実に阻止することとなり、一層効率的な冷却液の噴射を実現化できるという秀れた効果を発揮するものとなる。
【００１５】
更にまた、液体ポンプの先端壁および中心筒壁と延長軸との間に、該延長軸に対して同心状で回転不能、且つ同ビット装着部基端に当接するよう装着可能な形状の装着筒と、同装着筒先端に一体化して当該液体ポンプの外径に相当する直径に設定したフランジとからなる硬質素材製ホルダーを介在し、該ホルダーの後端に刻設した雄ネジに、給液タンク先端に対して一体かまたは別体かの何れか一方としたナットを螺着可能とした連結機構を組み合わせてなるものは、これら液体ポンプと給液タンクとの連結をより強固なものとして耐久強度を高めることができ、しかもメンテナンスする際には、該ナットをホルダーの雄ネジから取り外し、より簡便に液体ポンプと給液タンクとの分解、再組立を可能にする上、該液体ポンプがＯ字型浮き輪状構造の弾性容器製であって手動型ポンプからなるものでは、特に同先端壁および中心筒壁を補強してポンプの圧縮効率を高めると共に、延長軸の回転駆動中や、手指による圧縮操作を繰り返し受けたときの耐久強度を高めてポンプ寿命を大幅に向上できるという効果が得られるものとなる。                                                      
【発明を実施するための最良の形態】
【００１６】
上記したとおりの構成からなるこの発明の実施に際し、その最良もしくは望ましい形態について説明を加えることにする。
延長軸は、ハンドドリルのドリルビット装着部分（チャック）と、装着ドリルビットとの間に、液体ポンプと給液タンクとを、回転軸心方向に沿って縦列、同心串刺し状に着脱自在とするよう装着可能とする機能を果たし、高い強度と耐久性とを有するものとし、所定長さに設定した直線状棒体の基端にハンドドリル装着用となるシャンクを形成し、該シャンクとは反対がわとなる先端にビット装着部を形成したエクステンションバー型のものとしなければならず、ハンドドリル装着用となる基端シャンクを円柱状のものにできるが、より確実な連結を可能とする直方体形状のものや、後述する実施例に示すように、六角柱形状のシャンクとしたものとするのが望ましい。
【００１７】
ビット装着部は、延長軸の先端にドリルビットのシャンクを着脱自在且つ確実に装着可能とするものであり、簡便且つ確実にドリルビットを着脱できるものとしなければならず、ハンドドリルのチャックと同様に、開閉操作可能であってドリルビットのシャンクを締め付け状に連結可能とするものや、直方体形状のシャンクを嵌合、装着可能とするソケット、または、後述する実施例に示すような六角シャンクを嵌合、装着可能とする有底筒状のものなどとすることが可能である。
【００１８】
液体ポンプは、延長軸のビット装着部に装着したときのドリルビットに向け、給液タンクから供給された冷却液の適量ずつを圧送、噴射可能とする機能を果たし、延長軸の回転中もその重心（内部冷却液も含む）が均衡する寸法、形状に設定し、ボーリング作業によって過熱したドリルビットを十分に冷却可能な程度の量の冷却液を、迅速且つ効率的に噴射可能なものとしなければならず、電力の供給を受けて駆動する電動ポンプや、延長軸の回転力を利用して駆動する遠心ポンプなどのポンプ機構を設けたものとすることができる外、後述する実施例に示すように、延長軸周囲に装着したトーラス状の容器製であり、外径がわから該延長軸に向けた押圧力にて圧縮変形可能、且つ、元の形状に自動復帰可能としたＯ字型浮き輪状構造の弾性容器からなり、ハンドドリルおよび延長軸が停止状態にあるときに、手動操作による圧縮力で内圧を高めて冷却液の適量ずつを噴射可能とし、それ自体がポンプ機構を形成してなるものとすることができる。
【００１９】
当該液体ポンプは、その先端がわに、該ビット装着部に装着したときのドリルビットに向けて冷却液を噴射可能な冷却ノズルを設け、後端がわに冷却液用の吸液管を有するものとすべきであり、該吸液管は、逆止弁を介して給液タンクに接続したものとするのが望ましく、後述する実施例に示すように、その先端壁および中心筒壁と延長軸との間に、該延長軸に同心状、回転不能に装着可能な形状の装着筒と、同装着筒先端に一体化し、該液体ポンプの外径に相当する直径に設定したフランジとからなる硬質素材製ホルダーを介在し、該ホルダーのフランジとは反対がわとなる装着筒基端外周壁に雄ネジを刻設する一方、給液タンク先端に一体か、または別体かの何れか一方としたナットを設け、ボルト・ナット構造からなる連結機構を形成してなるものとすることができる。
【００２０】
当該連結機構は、液体ポンプと給液タンクとを十分な強度で着脱自在に連結可能とし、且つ、少なくとも液体ポンプを延長軸回りに同心状且つ回転不能、着脱自在に装着可能とする機能を果たすものであり、十分な強度をもって液体ポンプを保持可能な形状、寸法に設定されたものとしなければならず、後述する実施例に示すように、手動による外圧を受けて作動する液体ポンプとした場合には、特に装着筒とフランジとからなるホルダーが、液体ポンプの先端壁および中心筒壁をサポートし、しかも該ホルダー適所と給液タンクの適所とを着脱自在に連結して該フランジと給液タンクの先端壁との間に液体ポンプを確実に保持可能なものとし、液体ポンプの最外周壁以外の周壁を補強するよう保護可能とするのが望ましい。
【００２１】
冷却ノズルは、延長軸のビット装着部に装着したときのドリルビットに向けて、液体ポンプから圧送されてくる冷却液を正確に噴射可能とするよう誘導可能とする機能を果たすものであり、十分な強度をもってそれ自体の形状を維持可能なものとしなければならず、例えば、弾性変形、自動復帰可能な軟質素材製ノズルを設けると共に、該ノズル先端を延長軸の外径方向から同軸心に向けて案内保持可能なガイドレールを設けた上、該ノズル先端より外径がわに配置し、当該延長軸軸心の求心方向に向けて該ガイドレールを進退自在な調整ネジを設けたものとし、該調整ネジを進退調整して該ノズル先端の向きを適切に調節可能としたものや、硬質素材製のノズル中途適所に、ノズル先端の向きを自在に調節、仮固定可能とした自在継ぎ手機構を設けたもの、または、ノズル先端の向きを変更可能な回動軸を設けて同回動軸に歯車を装着し、この歯車に対して液体ポンプ側に固定された仮固定用板バネなどの弾性係合部品を歯合したものとし、該歯車をダイヤル状に回動操作してノズル先端の向きを変更調節し、該弾性係合部品の歯合で仮固定可能なものとしてなるものなど、様々な冷却液の噴出角度を調節、仮固定可能とする角度、姿勢調節機構を組み込んでなるものとすることができる外、後述する実施例に示すように、連結機構のフランジ部分に貫通状のガイド孔を穿設し、これに当該冷却ノズルを装着してノズル姿勢を仮固定可能なものにでき、更にまた、後述する実施例には示していないが、該連結機構のフランジの周回り方向に沿って個々に様々なノズル姿勢に仮固定可能とするよう、相互に姿勢角度の異なる複数個のガイド孔を穿設し、長さや太さの異なるドリルビットに差し替えた場合など、必要性に応じて適切な姿勢のガイド孔を選択して冷却ノズルを装着する如く組み合わせ可能なものとすることができる。
【００２２】
また、冷却ノズルは、テレスコープ型の伸縮機構を組み込み、その長さを自在に調節可能とした硬質パイプ製のものや、巻き取りホース状の巻き取り機構を組み込んだ軟質パイプ製のものなどとして、その全長を調節自在としたものが可能であり、さらに、ノズル付近に開度を調節可能な開閉蓋からなる開閉蓋機構や、先端開口面積を無段階的に調節可能とする絞り機構、あるいは、ノズル管路内に配置した開閉バルブ機構など様々な噴出量の微調整機構を組み込んだものとすることができ、さらに、延長軸の周回りに１８０度毎、１２０度毎、６０度毎など均衡する配置となるよう、複数の冷却ノズルを配したものとすることができる。
【００２３】
給液タンクは、延長軸の液体ポンプ装着箇所よりも基端寄りとなる適所周囲に所定量の冷却液を貯留可能とし、該液体ポンプに向けて適量の冷却液を供給自在とする機能を果たすものであり、該液体ポンプによる複数回に渡る冷却液の噴射を可能とするに十分な量の冷却液を貯留可能であって、延長軸の周囲に均衡するよう装着可能なものとしなければならず、逆止弁を介して該液体ポンプの吸液管に接続したものとすべきであり、延長軸周囲の均衡する複数箇所夫々にボンベ型の複数個のタンクを配し、各タンクと液体ポンプとを接続してなるものとすることができる外、後述する実施例に示すように、延長軸に対して１個のタンクを同心串刺し状且つ着脱自在に装着したものとすることができ、合成樹脂製か、または、強化ガラス製かの何れか一方からなる透明なものとしたり、目盛り付きの透明窓を有するものとしたり、残量表示メーターを装備したものにしたりして冷却液の残量を簡便に確認可能なものとすることができる。
【００２４】
逆止弁は、給液タンクから液体ポンプに供給される冷却液が給液タンク内に逆流してしまうのを確実に阻止可能とするものであり、十分な水圧に耐え得る強度を有するものとしなければならず、１個または複数個の弁体をバネの弾性部品で弁座に押圧してなるものや、内部に減圧機構を組み込んだものなどとすることができる外、後述する実施例に示すように、適所に濾過器を組み込み、または組み合わせてなるものとするのが望ましく、給液タンクがわ、または、液体ポンプがわの何れか一方の適所に設けたものにできる外、給液タンクと液体ポンプとの間に配したものとするのが可能である。
【００２５】
冷却液は、ボーリング加工中のドリルビットと被穿孔材料との摩擦を抑制し、ボーリング加工中に過熱したドリルビットを冷却可能とする機能を果たすものであり、給液タンク内に確実に貯留可能な液体物質からなり、ドリルビットの劣化温度よりも低い沸点を有する液体とすべきであり、市販の切削油や切削剤などの外、マシン油や潤滑油、水などの使用が可能であり、さらに、それらの摩擦低減および冷却作用が得られる液体と、圧縮空気あるいはその他の高圧気体などとを混合してスプレー可能なものとするのが可能な外、同等の摩擦低減や冷却の作用が得られる粉体や粒体、半個体、または、それらの混合体などに置き換え可能である。
以下では、図面に示すこの発明を代表する実施例と共に、その構造について詳述することとする。                                                                                                            
【実施例１】
【００２６】
図１のドリルビット冷却器の斜視図、図２の分解状態にあるドリルビット冷却器の側面図、図３のハンドドリルに組み込むドリルビット冷却器の側面図、図４の延長軸に組み込むホルダーの斜視図、図５の延長軸に組み込む液体ポンプの斜視図、図６の液体ポンプと組み合わせる逆止弁の斜視図、図７の延長軸に組み込む給液タンクの斜視図、および、図８のドリルビット冷却器の断面図に示す事例は、基端にシャンク２１、先端にビット装着部２２を夫々形成したエクステンションバー型延長軸２を有し、その周囲に該ビット装着部２２に装着したときのドリルビット７に向けて冷却液８を噴射可能な姿勢とした冷却ノズル３４と、ポンプ機構３０とを有する液体ポンプ３、および、所定量の冷却液８を貯留可能で、該液体ポンプ３に冷却液８を供給自在に接続可能とした給液タンク４を、双方同士を一体化可能な連結機構５を設け、当該延長軸２軸心方向に沿って縦列、同心串刺し状に装着するよう組み合わせてなるものとした、この発明のハンドドリル用ドリルビット冷却器における代表的な一実施例を示すものである。
以下では、この実施例１のドリルビット冷却器１の組み立て手順に従い、その構造を順次示して行くこととする。
【００２７】
それら各図からも明確に把握できるとおり、この発明のハンドドリル用ドリルビット冷却器１は、その延長軸２が、後述する液体ポンプ３および給液タンク４の軸心方向長の合計寸法より長く、しかも装着対象ハンドドリル９の軽快な取扱い性を損ねない程度の適切な短さに設定したものとすべきであり、より具体的には、該ハンドドリル９の本体部分全長よりも短く設定された工具鋼製の断面正六角形の直線棒状体２０からなり、その基端には六角シャンク２１が、また、それとは反対がわとなる先端には六角ビット装着部２２を夫々同心状に形成し、エクステンションバー型とした六角延長軸２を有している。
【００２８】
図２、図４および図５中に示すように、該延長軸２のビット装着部２２直後となる六角棒状体２０周囲には、液体ポンプ３の軸心方向長を僅かに超える長さに設定した筒型であって、その内周壁が、該六角棒状体２０の外周壁に嵌合可能な正六角形の断面形とし、同外周壁もまた、それより僅かに大きな正六角形の断面形状に設定した正六角形筒状の装着筒５１と、同装着筒５１先端に一体化し、該液体ポンプ３の外径に相当する直径であって、同液体ポンプ３の先端壁３１をサポート可能な円形ドーナッツ状の平板としたフランジ５３とからなる硬質樹脂または軽金属などの硬質素材製ホルダー５０を装着してあり、該ホルダー５０は、そのフランジ５３の直径方向適所に、装着筒５１の軸心に略平行な板厚方向に向け、後述する液体ポンプ３冷却ノズル３４を貫通状に装着可能とするガイド孔５４を穿設し、該フランジ５３とは反対がわとなる装着筒５１基端がわであって、該液体ポンプ３の全長を超えた部分の外周壁には、雄ネジ５２を刻設したものとしている。
【００２９】
図２、図５および図６中に示すように、当該液体ポンプ３は、軟質合成樹脂製のトーラス状の容器製であって、該ホルダー５０のフランジ５３と雄ネジ５２範囲とを除く装着筒５１の長さに一致する長さ寸法に設定し、該装着筒５１周囲にフランジ５３直径に略相当する外径のＯ字型浮き輪状構造の弾性容器からなり、その中心筒壁３２が、ホルダー５０装着筒５１外周壁に嵌合可能な正六角形断面形状の貫通孔に形成してあり、同先端壁３１が、ホルダー５０フランジ５３基端がわ壁に当接可能な平面壁に形成されてあり、これとは反対がわの後端壁３３が、後述する給液タンク４底蓋４５の先端がわ壁に当接可能な平面壁に形成されたものとしてあって、該延長軸２のビット装着部２２直後に同心状に装着したホルダー５０の雄ネジ５２範囲を除く装着筒５１外周壁回りに嵌合し、同フランジ５３の基端側壁に接合するよう組み込んだものとする。
【００３０】
該液体ポンプ３の後端壁３３適所には、中心筒壁３２軸心に平行で、液体ポンプ３の内部に貫通する細管状の吸液管３５を突設し、また、同先端壁３１のホルダー５０フランジ５３のガイド孔５４に対応する箇所からは、先端がわ程細くして微細孔となるよう設定（あるいは弁付きのもの）とし、液漏れを生じさせないようにした冷却ノズル３４が突設してあり、液体ポンプ３全体が手動型ポンプ機構３０を構成するものとなし、当該ガイド孔５４は、貫通状に装着したときの冷却ノズル３４の先端姿勢を適性に誘導、支持可能な形状のものとしてある。
【００３１】
図２、図６および図７中に示すように、給液タンク４は、タンク本体４０と底蓋４５とからなり、その全長が組み立て状態のときの液体ポンプ３の後端壁３３から、六角延長軸２シャンク２１より僅かに先端よりとなる位置までの範囲内に収まる寸法にしてあり、該底蓋４５は、液体ポンプ３の後端壁３３に相当する直径の軽金属製または硬質合成樹脂製の大型キャップ状に形成し、その後端がわ内周壁に雌ネジ４６を刻設し、同先端壁中央に当該ホルダー５０装着筒５１後端の雄ネジ５２が貫通可能な先端軸孔４７を穿設し、同先端壁の該先端軸孔４７より外径がわ寄りとなる適所には、液体ポンプ３吸液管３５が貫通する送液孔４８を穿設したものとなっていて、該装着筒５１雄ネジ５２の根元付近外周と先端軸孔４７周縁との間にＯリング小５６を挟み込むと共に、該底蓋４５の先端壁が液体ポンプ３の後端壁３３に接合するよう装着した上、該装着筒５１雄ネジ５２にナット５５を螺着、締め付けして確りと連結したものとしてあり、該ホルダー５０、Ｏリング小５６およびナット５５は、液体ポンプ３と給液タンク４とを着脱自在に連結可能とする連結機構５を構成するものである。
【００３２】
そして、該底蓋４５送液孔４８に貫通状に組み合わせた液体ポンプ３吸液管３５には、基端にフィルター６１を装着した送液パイプ６の先端に設けた逆止弁６０を接続したものとしてあり、当該タンク本体４０は、液体ポンプ３後端壁３３に接合するよう装着した底蓋４５に接続するがわとなる先端がわを開口して接続端４１とし、これとは反対がわの端部を隔壁状に閉鎖した、軽金属製または硬質合成樹脂製の有底筒状のものに形成しており、該接続端４１がわの外周壁を一段小径化して底蓋４５の雌ネジ４６に螺合可能な雄ネジ４２を刻設したものとして、同接続端４１とは反対がわの隔壁状後端壁の中央には、その肉厚方向に六角延長軸２のシャンク２１が貫通可能な後端軸孔を穿孔すると共に、該後端軸孔に六角延長軸２の周壁との隙間を密閉可能とする軟質樹脂製の軸隙間シール４３を嵌合状に装着してあり、同後端隔壁の後端軸孔より外径寄りとなる適所に、合成樹脂製のキャップを着脱自在に装着した給液口４４を形成してなるものである。
【００３３】
該タンク本体４０を六角延長軸２に組み込み済みの底蓋４５に装着するには、当該底蓋４５の後端開口周縁と、これに対峙状となるタンク本体４０接続端４１がわ外周壁の環状段差形状部分との間にＯリング大４９を挟み込むよう配置すると共に、該六角延長軸２シャンク２１が、該タンク本体４０接続端４１開口を通じて後端軸孔の軸隙間シール４３に抜けるよう組み合わせ、該底蓋４５雌ネジ４６に、タンク本体４０雄ネジ４２を螺合した上、密閉状に締め付けて結合したものとする。
【００３４】
（実施例１の作用）
以上のとおりの組み立て構造からなるこの発明のドリルビット冷却器１は、図３および図８中に示すように、ハンドドリル９のチャック９０に、給液タンク４後端軸孔の軸隙間シール４３より突出した六角延長軸２シャンク２１を連結し、さらに、ホルダー５０フランジ５３の中央より突出状に露出している六角延長軸２ビット装着部２２にドリルビット７のシャンク７０を差し込み、簡便に装着することが可能であり、当該給液タンク４タンク本体４０のキャップを外した給液口４４より、充分な量の例えば水道水からなる冷却液８を充填し、給液口４４をキャップで閉鎖した後、図８中の白抜き矢印に示すように、液体ポンプ３外周壁を六角延長軸２軸心に向けて押圧操作して、その入力を解除すると、弾性素材製の液体ポンプ３外周壁が自動的に元の形状に復帰する過程で、その内部に負圧を発生するものとなり、送液パイプ６のフィルター６１および逆止弁６０を通じて給液タンク４内の冷却液８を強制的に濾過、吸引して同液体ポンプ３内に冷却液８が満たされ、使用準備が完了した状態となる。
【００３５】
当該ハンドドリル９を用いて連続的なボーリング作業を行うと、ドリルビット７が過熱状態に陥りそうになってしまうが、そのときには、そのまま作動させながらでも可能ではあるものの、安全には一時的にハンドドリル９を停止させて作業を中断させた上で、図８中の白抜き矢印に示してあるように、液体ポンプ３外周壁を六角延長軸２軸心に向けて押圧操作し、冷却ノズル３４を通じて液体ポンプ３内の冷却液８を、同図８中の波線に示すように、ドリルビット７に向けて何回か適量だけ噴出し、該ドリルビット７を強制的に冷却する。
【００３６】
該液体ポンプ３の吸液管３５は、送液パイプ６の逆止弁６０によって冷却液８の逆流を阻止するものとしてあり、圧縮操作によって高められた液体ポンプ３内の圧力は、その全てが冷却ノズル３４に向かうこととなり、該冷却ノズル３４は、ホルダー５０フランジ５３のガイド孔５４に安定的に保持されていて、その先端をドリルビット７に向けた姿勢が強固に維持されており、必ず適量の冷却液８をドリルビット７に吹き付けることが可能であり、該液体ポンプ３外周壁への押圧操作を止めて入力を解除すると、同液体ポンプ３外周壁の弾性復帰力の働きで、図８中に示す外壁形状に戻るものとなり、このとき噴射したのと同量の冷却液８を給液タンク４がわからフィルター６１、送液パイプ６および逆止弁６０を通じて液体ポンプ３内に自動吸引、補給することとなって、次回の押圧操作によって同様に冷却液８をドリルビット７に吹き付けることが可能となる。
【００３７】
連続使用によって当該給液タンク４の冷却液８が減少してしまったときには、一旦、ハンドドリル９からドリルビット冷却器１を取り外して別体とした状態か、または、装着状態を維持したままの一体の状態かの何れかで、該給液タンク４の給液口４４キャップを開放し、充分な量の冷却液８を充填してから、再度給液口４４キャップを閉鎖して取り外したときには、再びドリルビット冷却器１をハンドドリル９に装着し、速やかにボーリング作業を再開することが可能である。
【００３８】
（実施例１の効果）
以上のような構成からなる実施例１のドリルビット冷却器１は、前記この発明の効果の項で記載の特徴に加え、図２、図６、図７および図８中に示すように、給液タンク４と液体ポンプ３とを繋ぐ送液パイプ６の吸引がわ端にフィルター６１を設け、同送出端がわに逆止弁６０が設けてあり、給液タンク４に微細な塵埃などが混入してしまった場合にも、フィルター６１が、それら塵埃を冷却液８中から除去することとなって逆止弁６０や冷却ノズル３４の詰まりを防止することができ、冷却液８のドリルビット７の切削用潤滑液としての機能を各段に高め、切削摩擦を一段と効率的に低減するという効果を奏するものとなる。
【００３９】
加えて、図２、図４ないし図７に示すように、液体ポンプ３、給液タンク４、および同給液タンク４（タンク本体４０、底蓋４５）などが、互いにホルダー５０、ナット５５、Ｏリング小５６や、雌ネジ４６、雄ネジ４２、Ｏリング大４９にて確実に連結し、密閉状に接続されたものとしてあり、必要に応じて個々の部品を分解、取り外し可能なものになっていて部品交換も容易であり、メンテナンス性に秀れたものとなり、しかも連結機構５ホルダー５０の装着筒５１を六角延長軸２に回転不能に貫通、装着してあり、液体ポンプ３および給液タンク４の軸心（重心）位置を串刺し状に貫通するよう装着すると共に、回転中の軟質素材製液体ポンプ３の形状を保持するものとなり、回転駆動中の延長軸回りに生ずる遠心力が均衡するよう組み合わされているので、一段と安定的なボーリング作業の実現化を可能にするという実利が得られることとなる。
【００４０】
（結  び）
叙述の如く、この発明のハンドドリル用ドリルビット冷却器は、その新規な構成によって所期の目的を遍く達成可能とするものであり、しかも製造も容易で、従前からの内部に冷却液を流通可能とした高価なドリルビットを必要とせず、一般的なドリルビットをそのまま使用することができる上、構造の簡素化で大幅に小型、軽量化して低廉化すると共に、耐久強度も高められ、遥かに経済的なものとすることができる上、ハンドドリルによる連続的なボーリング作業を実施可能にすることから、多数本のドリルビット自体の消耗や、度重なるドリルビット交換に費やす作業時間の無駄などに多大な経費と労力とを費やさざるを得なかった建築設備業界や電気工事業界、同様の問題を抱える各種機械や機器類の生産工場、ハンドドリルならびにドリルビットなどを生産し、または取り扱う工具業界、工作機械業界などといった専門分野からは勿論のこと、日曜大工などで耐久性、経済性に秀れたハンドドリル用品を希望する一般家庭からも高く評価されることとなり、広範に渡って利用、普及していくものになると予想される。                                                                                                        
【図面の簡単な説明】
【００４１】
図面は、この発明のハンドドリル用ドリルビット冷却器の技術的思想を具現化した代表的な一実施例を示すものである。
【図１】ドリルビット冷却器を示す斜視図である。
【図２】分解状態にあるドリルビット冷却器を示す側面図である。
【図３】ハンドドリルに組み込むドリルビット冷却器を示す側面図である。
【図４】延長軸に組み込むホルダーを示す斜視図である。
【図５】延長軸に組み込む液体ポンプを示す斜視図である。
【図６】液体ポンプに組み込む逆止弁を示す斜視図である。
【図７】延長軸に組み込む給液タンクを示す斜視図である。
【図８】使用中のドリルビット冷却器を示す断面図である。
【符号の説明】
【００４２】
１      ドリルビット冷却器
２      六角延長軸（延長軸）
２０    同  直線状棒体
２１    同  シャンク
２２    同  ビット装着部
３      液体ポンプ
３０    同  ポンプ機構
３１    同  先端壁
３２    同  中心筒壁
３３    同  後端壁
３４    同  冷却ノズル
３５    同  吸液管
４      給液タンク
４０    同  タンク本体
４１    同  接続端
４２    同  雄ネジ
４３    同  軸隙間シール（後端軸孔用）
４４    同  給液口（キャップ有り）
４５    同  底蓋
４６    同  雌ネジ
４７    同  先端軸孔
４８    同  送液孔
４９    同  Ｏリング大
５      連結機構
５０    同  ホルダー
５１    同  装着筒
５２    同  雄ネジ
５３    同  フランジ
５４    同  ガイド孔
５５    同  ナット
５６    同  Ｏリング小
６      送液パイプ
６０    同  逆止弁
６１    同  フィルター
７      ドリルビット
７０    同  シャンク
８      冷却液
９      ハンドドリル
９０    同  チャック                                                                                            
【図１】
2010155321.tif 000003
【図２】
2010155321.tif 000004
【図３】
2010155321.tif 000005
【図４】
2010155321.tif 000006
【図５】
2010155321.tif 000007
【図６】
2010155321.tif 000008
【図７】
2010155321.tif 000009
【図８】
2010155321.tif 000010